【手続補正書】
【提出日】平成20年4月2日(2008.4.2)
【手続補正１】
【補正対象書類名】明細書
【補正対象項目名】発明の名称
【補正方法】変更
【補正の内容】
【発明の名称】駆動方法、表示回路、及びプログラム
【手続補正２】
【補正対象書類名】明細書
【補正対象項目名】特許請求の範囲
【補正方法】変更
【補正の内容】
【特許請求の範囲】
【請求項１】
複数の信号線と、複数の走査線と、前記信号線及び前記走査線の各交点にマトリクス状に配置され、画素に信号線駆動電圧を印加するための画素電極とを有する表示パネルの前記走査線を駆動することによって、前記信号線駆動電圧を印加する対象である前記画素電極を選択する走査線駆動回路と、
入力されたデータ信号が示す輝度レベルを選択された前記画素電極に印加する信号線駆動電圧に変換する変換回路を少なくとも有し、前記信号線を駆動することによって変換された前記信号線駆動電圧を前記画素電極に印加する信号線駆動回路とを備えた表示回路を駆動する駆動方法であって、
１水平走査期間のうちのブランキング時間に、前記変換回路は、予め決められている所定の輝度レベルを前記信号線駆動電圧に変換し、前記信号線駆動回路は、変換された前記信号線駆動電圧を前記信号線に印加することによって前記信号線をプリチャージする駆動方法。
【請求項２】
前記各画素電極毎に形成されたスイッチング素子であって、前記画素電極と前記信号線とを導通させるオン状態または前記画素電極と前記信号線とを絶縁させるオフ状態のいずれかの状態をとり得る前記スイッチング素子を、前記走査線駆動回路が、前記走査線を介して前記オフ状態から前記オン状態に切り替えることによって、そのオン状態に切り替えられた前記スイッチング素子に対応する前記画素電極を選択する場合、
前記１水平走査期間の表示時間に、前記信号線駆動回路は入力された前記データ信号に対応する信号線駆動電圧を出力し、前記走査線駆動回路は前記信号線駆動電圧に同期して前記スイッチング素子をオン状態にするゲートオン電圧を出力し、
前記１水平走査期間の前記ブランキング時間に、前記走査線駆動回路は、前記予め決められている所定の輝度レベルが前記変換回路によって変換された前記信号線駆動電圧に同
期して前記スイッチング素子をオフ状態にするゲートオフ電圧を出力する請求項１記載の駆動方法。
【請求項３】
前記予め決められた所定の輝度レベルとは、黒レベルであるまたは白レベルであり、
前記黒レベルとは、黒の画像表示をするデータ信号が示す輝度レベルであり、
前記白レベルとは、白の画像表示をするデータ信号が示す輝度レベルである請求項１または２に記載の駆動方法。
【請求項４】
複数の信号線と、複数の走査線と、前記信号線と前記走査線との各交点にマトリクス状に配置され、画素に信号線駆動電圧を印加するための画素電極とを有する表示パネルの前記走査線を駆動することによって、前記信号線駆動電圧を印加する対象である前記画素電極を選択する走査線駆動回路と、
入力されたデータ信号が示す輝度レベルを選択された前記画素電極に印加する信号線駆動電圧に変換する変換回路を少なくとも有し、前記信号線を駆動することによって変換された前記信号線駆動電圧を前記画素電極に印加する信号線駆動回路とを備え、
１水平走査期間のうちのブランキング時間に、前記変換回路は、予め決められている所定の輝度レベルを前記信号線駆動電圧に変換し、前記信号線駆動回路は、変換された前記信号線駆動電圧を前記信号線に印加することによって前記信号線をプリチャージする表示回路。
【請求項５】
前記表示パネルは、前記各画素電極毎に形成されたスイッチング素子であって、前記画素電極と前記信号線とを導通させるオン状態または前記画素電極と前記信号線とを絶縁させるオフ状態のいずれかの状態をとり得る前記スイッチング素子を有し、
前記走査線駆動回路は、前記走査線を介して前記オフ状態から前記オン状態に切り替えることによって、そのオン状態に切り替えられた前記スイッチング素子に対応する前記画素電極を選択するものであり、
前記１水平走査期間の表示時間に、前記信号線駆動回路は入力された前記データ信号に対応する信号線駆動電圧を出力し、前記走査線駆動回路は前記信号線駆動電圧に同期して前記スイッチング素子をオン状態にするゲートオン電圧を出力し、
前記１水平走査期間の前記ブランキング時間に、前記走査線駆動回路は、前記予め決められている所定の輝度レベルが前記変換回路によって変換された前記信号線駆動電圧に同期して前記スイッチング素子をオフ状態にするゲートオフ電圧を出力する請求項４記載の表示回路。
【請求項６】
前記予め決められた所定の輝度レベルとは、黒レベルであるまたは白レベルであり、
前記黒レベルとは、黒の画像表示をするデータ信号が示す輝度レベルであり、
前記白レベルとは、白の画像表示をするデータ信号が示す輝度レベルである請求項４または５に記載の表示回路。
【請求項７】
前記信号線駆動回路は、前記変換回路に前記データ信号と前記予め決められている所定の輝度レベルに対応する信号とのいずれか一方を出力する出力制御回路を有し、
前記変換回路は、その出力された信号を前記信号線駆動電圧に変換する請求項４〜６のいずれかに記載の表示回路。
【請求項８】
前記予め決められている所定の輝度レベルに対応する信号は、前記予め決められている所定の輝度レベルの変換後の前記信号線駆動電圧の極性を示す情報を含む信号である請求項７記載の表示回路。
【請求項９】
複数の信号線と、複数の走査線と、前記信号線と前記走査線との各交点にマトリクス状に配置され、画素に信号線駆動電圧を印加するための画素電極とを有する表示パネルの前
記走査線を駆動することによって、前記信号線駆動電圧を印加する対象である前記画素電極を選択する走査線駆動回路と、
所定のプリセット電圧を入力するためのプリセット電圧入力端子を少なくとも有し、入力されたデータ信号を、前記信号線に印加する信号線駆動電圧に変換し、前記信号線を駆動することによって変換された前記信号線駆動電圧を前記画素電極に印加する信号線駆動回路とを備え、
１水平走査期間のうちのブランキング時間に、前記信号線駆動回路は、前記所定のプリセット電圧を前記信号線に印加することによって前記信号線をプリチャージする表示回路。
【請求項１０】
請求項１記載の駆動方法の、１水平走査期間のうちのブランキング時間に、前記変換回路は、予め決められている所定の輝度レベルを前記信号線駆動電圧に変換し、前記信号線駆動回路は、変換された前記信号線駆動電圧を前記信号線に印加することによって前記信号線をプリチャージするステップをコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、映像機器やコンピュータなどの情報機器のディスプレイに用いられる駆動方法、表示回路、及びプログラムに関するものである。
【手続補正４】
【補正対象書類名】明細書
【補正対象項目名】００１０
【補正方法】変更
【補正の内容】
【００１０】
図１３に従来の液晶表示装置のタイミング図を示す。ＤＡＴＡはデータ信号、Ｃｋはデータ信号のクロック、Ｔｈは水平同期信号、Ｌｐはロード信号を表す。これらの信号は、画像信号より制御回路１９から出力される信号線駆動回路用制御信号２１である。なお、１Ｈは１水平走査期間を表す。図１３のｎ走査は、垂直同期信号（図示せず）から数えてｎ番目の水平走査期間であることを表し、ｍはｎ−１番目の水平走査期間のｍ番目のデータとクロックであることを示す。
【手続補正５】
【補正対象書類名】明細書
【補正対象項目名】００１２
【補正方法】変更
【補正の内容】
【００１２】
図１３に示すｎ番目の水平走査期間のデータ信号はｎ−１番目の水平走査期間の信号であることを断っておく。ｎ−１番目の水平走査期間のデータ信号（図１３）は、信号線駆動回路１６にラッチされた後、ロードパルスＬｐの立ち上がりのタイミングで、Ａ／Ｄ変換され、次の（ｎ番目）の水平走査期間内に信号線１２に出力され、水平走査信号に同期して、Ｘｎ番目の走査線に走査線駆動回路１７からＶｏｎが出力され（これをｎ番目の走査と略する）、画素１３に信号線駆動電圧（図ではＶＨ）が印加される。図１３のＹｍは、全画面に白或いは黒の表示をする場合に、ｍ番目の信号線Ｙｍに出力される信号線駆動電圧波形で、Ｙ'はＸｎ−１或いはＸｎ＋１番目の走査で信号線Ｙｍに出力される信号線駆動線圧波形或は次の垂直走査期間のｎ番目の走査で出力される信号線駆動線圧波形であ
る。Ｔd1は信号線駆動電圧の遅延時間であり、ＨｉとＬｏはデジタル信号の１と０をそれぞれ表す。
【手続補正６】
【補正対象書類名】明細書
【補正対象項目名】００１７
【補正方法】変更
【補正の内容】
【００１７】
【数１】
ＶＨ−Ｖｃ＝Ｖｃ−ＶＬ
∴  Ｖ（＋）−Ｖ（−）＝０
ＶＨ＝Ｖｃ＋Ｖ（＋）、ＶＬ＝Ｖｃ−Ｖ（−）
数１を満たすＶｃを理想基準電圧Ｖｒというが、実際の液晶パネル１５では、不平衡電圧が発生しＶｃ≠Ｖｒである。不平衡電圧はフリッカや表示ムラとして目視され画質を劣化させる。そのために、Ｖｃを変えて不平衡電圧を相殺するフリッカ調整と呼ばれる対策が施される。電源回路１８の半可変抵抗ＶＲによってフリッカ調整が行われる。
【手続補正７】
【補正対象書類名】明細書
【補正対象項目名】００２５
【補正方法】変更
【補正の内容】
【００２５】
本発明は、このような従来の問題点に鑑みてなされたものであって、比較的簡易な手段により、前の走査による信号線の初期電荷を実用上無視できるレベルにし、信号線駆動回路の駆動能力を向上させ、低コストで高品位の画質を表示できる駆動方法、表示回路、及びプログラムを提供することを目的とするものである。
【手続補正８】
【補正対象書類名】明細書
【補正対象項目名】００２７
【補正方法】変更
【補正の内容】
【００２７】
また、第２の本発明（請求項２に対応）は、前記各画素電極毎に形成されたスイッチング素子であって、前記画素電極と前記信号線とを導通させるオン状態または前記画素電極と前記信号線とを絶縁させるオフ状態のいずれかの状態をとり得る前記スイッチング素子を、前記走査線駆動回路が、前記走査線を介して前記オフ状態から前記オン状態に切り替えることによって、そのオン状態に切り替えられた前記スイッチング素子に対応する前記画素電極を選択する場合、
前記１水平走査期間の表示時間に、前記信号線駆動回路は入力された前記データ信号に対応する信号線駆動電圧を出力し、前記走査線駆動回路は前記信号線駆動電圧に同期して前記スイッチング素子をオン状態にするゲートオン電圧を出力し、
前記１水平走査期間の前記ブランキング時間に、前記走査線駆動回路は、前記予め決められている所定の輝度レベルが前記変換回路によって変換された前記信号線駆動電圧に同期して前記スイッチング素子をオフ状態にするゲートオフ電圧を出力する第１の本発明に記載の駆動方法である。
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】変更
【補正の内容】
【００３０】
また、第４の本発明は、複数の信号線と、複数の走査線と、前記信号線と前記走査線との各交点にマトリクス状に配置され、画素に信号線駆動電圧を印加するための画素電極とを有する表示パネルの前記走査線を駆動することによって、前記信号線駆動電圧を印加する対象である前記画素電極を選択する走査線駆動回路と、
入力されたデータ信号が示す輝度レベルを選択された前記画素電極に印加する信号線駆動電圧に変換する変換回路を少なくとも有し、前記信号線を駆動することによって変換された前記信号線駆動電圧を前記画素電極に印加する信号線駆動回路とを備え、
１水平走査期間のうちのブランキング時間に、前記変換回路は、予め決められている所定の輝度レベルを前記信号線駆動電圧に変換し、前記信号線駆動回路は、変換された前記信号線駆動電圧を前記信号線に印加することによって前記信号線をプリチャージする表示回路である。
【手続補正１１】
【補正対象書類名】明細書
【補正対象項目名】００３１
【補正方法】変更
【補正の内容】
【００３１】
また、第５の本発明は、前記表示パネルは、前記各画素電極毎に形成されたスイッチング素子であって、前記画素電極と前記信号線とを導通させるオン状態または前記画素電極と前記信号線とを絶縁させるオフ状態のいずれかの状態をとり得る前記スイッチング素子を有し、
前記走査線駆動回路は、前記走査線を介して前記オフ状態から前記オン状態に切り替えることによって、そのオン状態に切り替えられた前記スイッチング素子に対応する前記画素電極を選択するものであり、
前記１水平走査期間の表示時間に、前記信号線駆動回路は入力された前記データ信号に対応する信号線駆動電圧を出力し、前記走査線駆動回路は前記信号線駆動電圧に同期して前記スイッチング素子をオン状態にするゲートオン電圧を出力し、
前記１水平走査期間の前記ブランキング時間に、前記走査線駆動回路は、前記予め決められている所定の輝度レベルが前記変換回路によって変換された前記信号線駆動電圧に同期して前記スイッチング素子をオフ状態にするゲートオフ電圧を出力する第４の本発明の表示回路である。
【手続補正１２】
【補正対象書類名】明細書
【補正対象項目名】００３２
【補正方法】変更
【補正の内容】
【００３２】
また、第６の本発明は、前記予め決められた所定の輝度レベルとは、黒レベルであるまたは白レベルであり、
前記黒レベルとは、黒の画像表示をするデータ信号が示す輝度レベルであり、
前記白レベルとは、白の画像表示をするデータ信号が示す輝度レベルである第４または第５の本発明の表示回路である。
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】変更
【補正の内容】
【００３４】
また、第７の本発明は、前記信号線駆動回路は、前記変換回路に前記データ信号と前記予め決められている所定の輝度レベルに対応する信号とのいずれか一方を出力する出力制御回路を有し、
前記変換回路は、その出力された信号を前記信号線駆動電圧に変換する第４〜６のいずれかの本発明の表示回路である。
【手続補正１５】
【補正対象書類名】明細書
【補正対象項目名】００３５
【補正方法】変更
【補正の内容】
【００３５】
また、第８の本発明は、前記予め決められている所定の輝度レベルに対応する信号は、前記予め決められている所定の輝度レベルの変換後の前記信号線駆動電圧の極性を示す情報を含む信号である第７の本発明の表示回路である。
【手続補正１６】
【補正対象書類名】明細書
【補正対象項目名】００３６
【補正方法】変更
【補正の内容】
【００３６】
また、第９の本発明は、複数の信号線と、複数の走査線と、前記信号線と前記走査線との各交点にマトリクス状に配置され、画素に信号線駆動電圧を印加するための画素電極とを有する表示パネルの前記走査線を駆動することによって、前記信号線駆動電圧を印加する対象である前記画素電極を選択する走査線駆動回路と、
所定のプリセット電圧を入力するためのプリセット電圧入力端子を少なくとも有し、入力されたデータ信号を、前記信号線に印加する信号線駆動電圧に変換し、前記信号線を駆動することによって変換された前記信号線駆動電圧を前記画素電極に印加する信号線駆動回路とを備え、
１水平走査期間のうちのブランキング時間に、前記信号線駆動回路は、前記所定のプリセット電圧を前記信号線に印加することによって前記信号線をプリチャージする表示回路である。
【手続補正１７】
【補正対象書類名】明細書
【補正対象項目名】００３７
【補正方法】削除
【補正の内容】
【手続補正１８】
【補正対象書類名】明細書
【補正対象項目名】００３８
【補正方法】削除
【補正の内容】
【手続補正１９】
【補正対象書類名】明細書
【補正対象項目名】００３９
【補正方法】削除
【補正の内容】
【手続補正２０】
【補正対象書類名】明細書
【補正対象項目名】００４０
【補正方法】削除
【補正の内容】
【手続補正２１】
【補正対象書類名】明細書
【補正対象項目名】００４１
【補正方法】変更
【補正の内容】
【００４１】
また、第１０の本発明は、第１の本発明の駆動方法の、１水平走査期間のうちのブランキング時間に、前記変換回路は、予め決められている所定の輝度レベルを前記信号線駆動電圧に変換し、前記信号線駆動回路は、変換された前記信号線駆動電圧を前記信号線に印加することによって前記信号線をプリチャージするステップをコンピュータに実行させるためのプログラムである。
また、本発明に関連する第１の発明は、第４〜９のいずれかの本発明の表示回路と、
前記表示パネルとを備え、
前記表示パネルは、前記画素が容量性を示すマトリクス型の表示パネルである表示装置である。
また、本発明に関連する第２の発明は、放送されてくる映像信号を受信する受信手段と、
前記映像信号を表示する表示手段とを備え、
前記表示手段には、本発明に関連する第１の発明の表示装置が用いられているテレビ受信装置である。
また、本発明に関連する第３の発明は、情報を処理する情報処理手段と、
前記処理結果及び前記情報処理手段を操作するためのＧＵＩ画面の少なくともいずれかを表示する表示手段とを備え、
前記表示手段には、本発明に関連する第１の発明の表示装置が用いられている情報処理装置である。
【手続補正２２】
【補正対象書類名】明細書
【補正対象項目名】００４２
【補正方法】変更
【補正の内容】
【００４２】
例えば、本発明は、複数の信号線と走査線とを交差して設け、前記信号線と走査線との各交点にＴＦＴをマリクス状に配置した液晶パネルと、前記液晶パネルの走査線駆動回路及び信号線駆動回路と、前記走査線及び信号線駆動回路に制御信号を出力する制御回路と、前記液晶パネルの共通電極端子に動作基準電圧Ｖｃを出力する電源回路と、を備え、データ信号により画像表示をする液晶表示装置の駆動方法であって、
表示時間とそれに続くブランキング時間とからなる１水平走査期間において、前記表示時間内に、前記信号線駆動回路はデータ信号に対応する信号線駆動電圧を出力し、前記走査線駆動回路は前記信号線駆動電圧に同期してＴＦＴのゲートオン電圧を出力し、前記ブランキング時間内に前記信号線駆動回路はプリチャージ電圧Ｖｐを出力し、前記走査線駆動回路はプリチャージ電圧に同期して前記ＴＦＴのゲートオフ電圧を出力し、白レベル又は黒レベルのいずれか一方の信号線駆動電圧をＶｈｂとすれば、前記プリチャージ電圧Ｖｐは｜Ｖｐ−Ｖｃ｜≦｜Ｖｈｂ−Ｖｃ｜を満たすことを特徴とするものであり、
信号線駆動回路の駆動能力が向上し高品位の画像表示ができる液晶表示装置の駆動方法を実現できるという作用を有する。
【手続補正２３】
【補正対象書類名】明細書
【補正対象項目名】００４５
【補正方法】変更
【補正の内容】
【００４５】
また、例えば本発明は、複数の信号線と走査線とを交差して設け、前記信号線と走査線との各交点にＴＦＴをマトリクス状に配置した液晶パネルと、前記液晶パネルの走査線と信号線を駆動する走査線および信号線駆動回路と、前記走査線及び信号線駆動回路に制御信号を出力する制御回路と、前記液晶パネルの共通電極端子に動作基準電圧を出力する電源回路と、を備え、データ信号により画像表示をする液晶表示装置において、
１水平走査期間は表示時間とそれに続くブランキング時間とからなり、
前記信号線駆動回路は表示時間にデータ信号に対応する信号線駆動電圧を出力し、ブランキング時間内にプリチャージ電圧を出力し、前記動作基準電圧を基準として、前記プリチャージ電圧は白レベル或いは黒レベルの信号線駆動電圧のいずれか一方より同電位内にあり、前記走査線駆動回路は前記信号線駆動電圧に同期して走査パルスを出力し、前記ブランキング時間内では強制的に前記ＴＦＴのゲートオフ電圧を出力することを特徴とするものであり、
信号線駆動回路の駆動能力が向上し、低価格で高品位の画像表示ができる液晶表示装置を実現できるという作用を有する。
【手続補正２４】
【補正対象書類名】明細書
【補正対象項目名】００６２
【補正方法】変更
【補正の内容】
【００６２】
【数３】
（Ａ１）モード
電荷量Ｑ(+1)：Ｑ(+1)＝（ＶＨ−Ｖsm−Ｖｃ）＊Ｃｓ＝Ｑｉ−Ｖsm＊Ｃｓ
ピーク電流Ｉp(+1)：Ｉp(+1)＝（ＶＨ−Ｖsm−Ｖｃ）／（Ｒｙ＋Ｒｓ）
（Ａ２）モード
電荷量Ｑ(+2)：Ｑ(+2)＝（Ｖsp−Ｖ(+)−Ｖｃ）＊Ｃｓ＝Ｖsp＊Ｃｓ−Ｑｉ
ピーク電流Ｉp(+2)：Ｉp(+2)（ＶＨ−Ｖ(+)−Ｖｃ）／（Ｒｙ＋Ｒｓ）
（Ｂ１）モード
電荷量Ｑ(-1)：Ｑ(-1)＝（ＶＬ−Ｖsp−Ｖｃ）＊Ｃｓ＝−Ｑｉ−Ｖsp＊Ｃｓ
ピーク電流Ｐ(-1)：Ｐ(-1)＝（ＶＬ−Ｖsp−Ｖｃ）／（Ｒｙ＋Ｒｓ）
（Ｂ２）モード
電荷量Ｑ(-2)：Ｑ(-2)＝（Ｖsm−Ｖ(-)−Ｖｃ）＊Ｃｓ＝Ｖsm＊Ｃｓ−Ｑｉ
ピーク電流Ｐ(-2)：Ｐ(-2)＝（ＶＬ−Ｖsp−Ｖｃ）／（Ｒｙ＋Ｒｓ）
図１に示すように、ＶＨ＞Ｖsp＞Ｖｃ＞Ｖsm＞ＶＬで、ＶspとＶsmはＶｃに近い値に設定される。従来例の駆動方法では、図３の＋と−のプリチャージモードがなく、＋と−の駆動モードにより信号線駆動をする。従来例（図１３、１２）と本実施の形態（図１）について、ＶＨとＶＬ出力時の充電される電荷量を比較する。ＶＨではＱ(+1)−Ｑ（＋）＝−Ｑｉ−Ｖsm＊Ｃｓより、｜Ｑ(+1)｜＜｜Ｑ（＋）｜となり、ＶＬではＱ(-1)−Ｑ（−）＝Ｑｉ−Ｖsp＊Ｃｓより、｜Ｑ(-1)｜＜｜Ｑ（−）｜となる。ピーク電流が減少することも数２と数１を比較すれば明かである。この様に、本発明の実施の形態の駆動方法によれば、信号線駆動回路の信号線駆動電圧出力時の仕事量を小さくできる。これは、信号線駆動回路の駆動能力を向上させることを意味する。当然、Ｖsp＝Ｖsm＝Ｖｃの場合、最大の効果を発揮し、仕事量とピーク電流は半分になる。当然であるが、信号線駆動の仕事量は、従来例と同じである。上記の比較はデータ信号に基づく信号線駆動電圧出力時に限ることを断っておく。
【手続補正２５】
【補正対象書類名】明細書
【補正対象項目名】００６３
【補正方法】変更
【補正の内容】
【００６３】
Ａ／Ｄコンバータを内蔵した信号線駆動回路による駆動電圧（画素電圧）とγ補正電圧について、ドット反転駆動で全画面黒表示の場合を一例として説明する（液晶パネルはノーマリホワイトとする）。図４に画素電圧とγ補正電圧の関係を示す模式図を示す。γ補正電圧γp1〜γp5は第１のγ補正電圧群Ｖγ１（＋極性）であり、γ補正電圧γm1〜γm5は第２のγ補正電圧群Ｖγ２（−極性）である。図４はＶｃ＝Ｖｒの理想的な液晶パネルを用いた場合とする。
【手続補正２６】
【補正対象書類名】明細書
【補正対象項目名】００６５
【補正方法】変更
【補正の内容】
【００６５】
図５に信号線駆動電圧とγ補正電圧の関係の一例を示す。破線はγ補正電圧に対する信号線駆動電圧の関係を示す。γ補正電圧はデータ信号に対応しており、図３で示したように黒レベルγp1とγm1はデータ信号００、白レベルγp5とγm5は３Ｆのデータ信号に対応し、それ以外のγ補正電圧は中間調表示の予め定められたデータ信号と対応付けられる（例えば、γp2とγm2にはデータ信号１０，γp3とγm3には２Ｆというように対応付けられる）。それ以外のデータ信号は信号線駆動回路にプログラムされたデータ信号とγ補正電圧との関係式により信号線駆動電圧に変換される。図５に示す実線は、理想動作基準電圧Ｖｒに対するγ補正電圧の関係を示すために、γ補正電圧に対する電圧（γpn−Ｖｒ）と（Ｖｒ−γpn）（ｎ＝１〜５）をＹ軸にしてプロットしたものであるが、ドット反転駆動であるためＶｒを基準として対称となる。
【手続補正２７】
【補正対象書類名】明細書
【補正対象項目名】００７７
【補正方法】変更
【補正の内容】
【００７７】
本実施の形態に用いる信号線駆動回路の信号線駆動ＩＣの構成図の一例を図７（Ａ）に示す。信号線駆動ＩＣは、Ｍ個の出力端子を備え、ラッチ、シフトレジスタ及び制御回路と出力制御回路と出力回路から構成される。従来例の液晶表示装置に使用される信号線駆動ＩＣには本実施の形態の出力制御回路は備えられていない。この信号線駆動ＩＣは図１のタイミングに基づいて動作する。ラッチ、シフトレジスタ及び制御回路は、データ信号とクロックによって各信号線に対応したデータ信号を出力制御回路に出力する（図のＲ、Ｇ、Ｂはそれぞれ赤、緑、青を示す）。図７（Ｂ）はｊ及びｊ＋１番目の出力制御回路の構成を説明する回路図である。出力制御回路はインバータ、アンド及びオア回路から構成される。偶数番目（Ｏｊ）と奇数番目（Ｏj+1）の出力制御回路には互いに反転した極性信号Ｐｏが、各出力制御回路にはプリチャージ信号Ｏcnとラッチ、シフトレジスタ及び制御回路の出力（図ではＳｊ、Ｓj+1で示す）が入力される。このような構成であるため、各出力制御回路からＯcnがＬｏの期間はデータ信号が出力され、ＯcnがＨｉの期間は偶数番目の出力制御回路にはＰｏが、奇数番目の出力制御回路には反転したＰｏが出力される。ＰｏはＨｉ或いはＬｏの２値であるから、白レベル或いは黒レベルに対応するデータ信号に相当し、＋信号線駆動電圧が出力した後には＋のプリチャージ電圧が、−信号線駆動電圧が出力した後には−のプリチャージ電圧が出力される。白レベル或いは黒レベルの設
定はＰｏのＨｉとＬｏになるタイミングを変えることにより容易にできる。
【手続補正２８】
【補正対象書類名】明細書
【補正対象項目名】００８３
【補正方法】変更
【補正の内容】
【００８３】
なお、本実施の形態のＡ／Ｄコンバータは本発明の変換回路の例であり、本実施の形態のノーマリホワイトの場合の白レベルは本発明の予め決められている所定の輝度レベルの例であり、本実施の形態のノーマリブラックの場合の黒レベルは本発明の予め決められている所定の輝度レベルの例であり、本実施の形態の極性信号Ｐｏは本発明の前記予め決められている所定の輝度レベルの変換後の前記信号電圧の極性を示す情報の例であり、本実施の形態の液晶表示装置の走査線駆動回路および信号線駆動回路は本発明の表示回路の例である。
【手続補正２９】
【補正対象書類名】明細書
【補正対象項目名】００８５
【補正方法】変更
【補正の内容】
【００８５】
動作基準電圧Ｖｃにほぼ一致する（或いは動作基準電圧に近い直流電圧）プリチャージ電圧を出力するには信号線駆動回路の出力回路を変更しなければならない。図１０に実施の形態３における信号線駆動回路の出力回路の一例を示す。図１０には出力回路のｊ番目のバッファを示す。４０は駆動電圧選択回路であり、Ａ／Ｄコンバータからの出力Ｓｊとプリセット電圧Ｖdpをプリチャージ信号Ｏcnにより選択して出力する。Ｏｐは演算増幅回路で４０のバッファである。４０の駆動能力が高ければＯｐは必要ではない。なお、４０にはアナログスイッチを用いてもよい。実施の形態３に用いられる信号線駆動回路の構成は、図７Ａにおいて出力制御回路を省き図１０の出力回路に変更し、プリセット電圧Ｖdpの入力端子を備えた構成とすれば、Ｖdpによりプリチャージ電圧を任意の直流電位とすることができ、Ｖdp＝Ｖｃとすればほぼ理想的なプリチャージ電圧を得ることができる。
【手続補正３０】
【補正対象書類名】明細書
【補正対象項目名】００８６
【補正方法】変更
【補正の内容】
【００８６】
図１１に実施の形態３における液晶表示装置の構成図を示すが、図８の液晶表示装置において、制御回路と信号線駆動回路が、極性信号Ｐｏを含まない信号線駆動回路制御用信号２１ｃを出力する制御回路１９ｃとプリセット電圧Ｖdpをプリチャージ電圧として出力する信号線駆動回路１６ｃに変更される構成で、図９のタイミングで動作する。その他は図８と同様である。
【手続補正３１】
【補正対象書類名】明細書
【補正対象項目名】００８９
【補正方法】変更
【補正の内容】
【００８９】
さらに、本発明に関連する発明の表示装置は、本実施の形態における液晶表示装置に限らず、プラズマディスプレイ、ＥＬディスプレイなど、要するに本発明の表示装置は、信号線と走査線との交点に配設される画素が容量性を示すマトリクス型の表示装置でありさ
えすればよい。
【手続補正３２】
【補正対象書類名】明細書
【補正対象項目名】００９０
【補正方法】変更
【補正の内容】
【００９０】
さらに、放送されてくる映像信号を受信する受信手段と、前記映像信号を表示する表示手段とを備え、前記表示手段には、上記本発明に関連する発明の表示装置が用いられているテレビ受信装置も本発明に関連する発明に属する。
【手続補正３３】
【補正対象書類名】明細書
【補正対象項目名】００９１
【補正方法】変更
【補正の内容】
【００９１】
さらに、情報を処理する情報処理手段と、前記処理結果及び前記情報処理手段を操作するためのＧＵＩ画面の少なくともいずれかを表示する表示手段とを備え、前記表示手段には、上記本発明に関連する発明の表示装置が用いられている情報処理装置も本発明に関連する発明に属する。
【手続補正３４】
【補正対象書類名】明細書
【補正対象項目名】００９３
【補正方法】変更
【補正の内容】
【００９３】
なお、本発明の一部のステップ（または、工程、動作、作用等）とは、それら複数のステップの内の、一つ又は幾つかのステップを意味するものである。
【手続補正３５】
【補正対象書類名】明細書
【補正対象項目名】００９４
【補正方法】変更
【補正の内容】
【００９４】
また、本発明のプログラムを記録した、コンピュータに読みとり可能な記録媒体も本発明に関連する発明に含まれる。
【手続補正３６】
【補正対象書類名】明細書
【補正対象項目名】００９７
【補正方法】削除
【補正の内容】
【手続補正３７】
【補正対象書類名】明細書
【補正対象項目名】０１０１
【補正方法】変更
【補正の内容】
【０１０１】
【発明の効果】
以上説明したところから明らかなように、本発明は、前の走査により充電された初期電荷による信号線駆動回路の駆動能力の影響を、比較的簡易な手段により最小限に留めて、信号線駆動回路の駆動能力を向上させ、画素数が多く画面サイズが大きい液晶表示装置の
場合でも信号線駆動回路の駆動能力不足を解消し、低コストで高品位の画質を表示できる駆動方法、表示回路、及びプログラムを提供することが出来る。
【手続補正３８】
【補正対象書類名】明細書
【補正対象項目名】符号の説明
【補正方法】変更
【補正の内容】
【符号の説明】
１０  共通電極端子
１１  走査線
１２  信号線
１３  画素
１５  液晶パネル
１６、１６ｂ、１６ｃ  信号線駆動回路
１７、１７ｂ、走査線駆動回路
１８  電源回路
１９、１９ｂ、１９ｃ  制御回路
２０、２０ｂ  走査線駆動回路用制御信号
２１、２１ｂ、２１ｃ  信号線駆動回路用制御信号
２２  γ補正電圧発生回路
２３  第１のγ補正電圧群
２４  第２のγ補正電圧群
４０  駆動電圧選択回路
Ｃｋ  クロック
ＤＡＴＡ  データ信号
Ｄｏｆｆ  表示制御信号
１Ｈ  水平走査期間
１Ｖ  垂直走査期間
Ｌｐ  ロード信号
Ｏcn  プリチャージ信号
Ｏｐ  演算増幅器
Ｐｏ  極性信号
Ｔdo  プリチャージ時間
Ｔde  表示時間
Ｔd1、Ｔd2、Ｔd3  信号線駆動電圧の遅延時間
Ｔｈ  水平同期信号
Ｔｖ  垂直同期信号
Ｖsp、Ｖsm  プリチャージ電圧
Ｖｃ  動作基準電圧
Ｖｙ  信号線駆動電圧源
Ｖｒ  理想動作基準電圧
ＶＨ、ＶＬ  Ｖｓ  信号線駆動電圧
Ｖ（＋）、Ｖ（−）  画素電圧
Ｖγ１  第１の補正電圧群
Ｖγ２  第２の補正電圧群
Ｖｏｎ  ＴＦＴのゲートオン電圧
Ｖoff  ＴＦＴのゲートオフ電圧
γp1〜γp5  ＋極性のγ補正電圧
γm1〜γm5  −極性のγ補正電圧
Ｘdata  走査線駆動回路のデータ
Ｘck  走査線駆動回路のクロック
Ｘｎ  ｎ番目の走査線又はその駆動電圧波形
Ｙｍ  ｍ番目の信号線又はその駆動電圧波形
Ｙ'  次の垂直走査期間のｍ番目の信号線又はその駆動電圧波形
Ｒｓ  信号線の抵抗
Ｒｙ  信号線駆動回路の出力抵抗